(57)【要約】  鍵と錠のシリンダとの間におけるデータと電気エネルギーとを伝送する装置および方法は、前記鍵と関連ある第１の電磁回路と前記シリンダと関連ある第２の電磁回路とからなり、前記第１および第２の電磁回路は、前記シリンダ内への前記鍵の挿入時に相互接続を行なって前記第１の回路の一次巻線から前記第２の回路の二次（巻線）に少なくとも電気エネルギーを伝送する第３の電磁回路を形成する接続手段を有する。
2005514546.tif 000002
【特許請求の範囲】
【請求項１】
鍵と錠のシリンダとの間におけるデータと電気エネルギーとを伝送する装置および方法において、前記鍵に関連ある第１の電磁回路と、前記シリンダに関連ある第２の電磁回路とからなり、前記第１および第２の電磁回路は、前記シリンダ内への前記鍵の挿入時に相互接続を行なって前記第１の回路の一次巻線から前記第２の回路の二次［巻線］に少なくとも電気エネルギーを伝送する第３の電磁回路を形成する接続手段を有することを特徴とする鍵と錠のシリンダとの間におけるデータと電気エネルギーとを伝送する装置および方法。
【請求項２】
前記電気エネルギーは、前記一次巻線から前記二次巻線に磁束の形で伝送されることを特徴とする請求項１に記載の鍵と錠のシリンダとの間におけるデータと電気エネルギーとを伝送する装置および方法。
【請求項３】
前記磁束は、強磁性体回路に適切に伝送されることを特徴とする前記請求項の１項以上に記載の鍵と錠のシリンダとの間におけるデータと電気エネルギーとを伝送する装置および方法。
【請求項４】
前記強磁性体回路は、フェライトを用いて製作されることを特徴とする前記請求項の１項以上に記載の鍵と錠のシリンダとの間におけるデータと電気エネルギーとを伝送する装置および方法。
【請求項５】
前記第１および第２の電磁回路は、互いに接続される第１および第２の棒からなり、前記第１および第２の棒のいずれもがコイルによって巻かれていることを特徴とする前記請求項の１項以上に記載の鍵と錠のシリンダとの間におけるデータと電気エネルギーとを伝送する装置および方法。
【請求項６】
前記第３の電磁回路は、前記第１および第２の磁気回路が相互結合することによって形成されることを特徴とする前記請求項の１項以上に記載の鍵と錠のシリンダとの間におけるデータと電気エネルギーとを伝送する装置および方法。
【請求項７】
前記第１の磁気回路の前記コイルに印加される信号は、前記エネルギーと前記データとのいずれをも前記第２の磁気回路の前記巻線に伝送することを特徴とする前記請求項の１項以上に記載の鍵と錠のシリンダとの間におけるデータと電気エネルギーとを伝送する装置および方法。
【請求項８】
前記第１の電磁回路は、前記第２の電磁回路と同じまたは異なる周波数帯域と前記一次巻線と前記二次巻線との巻数間の比に比例する振幅とを有する時間可変電圧を受けて、前記データが前記鍵から前記シリンダおよびその逆の方向に伝送されることを特徴とする前記請求項の１項以上に記載の鍵と錠のシリンダとの間におけるデータと電気エネルギーとを伝送する装置および方法。
【請求項９】
前記データは、デジタルおよび／またはアナログ形式で伝送されることを特徴とする前記請求項の１項以上に記載の鍵と錠のシリンダとの間におけるデータと電気エネルギーとを伝送する装置および方法。
【請求項１０】
前記巻数は、適切に絶縁された導電体配線を用いて製作されることを特徴とする前記請求項の１項以上に記載の鍵と錠のシリンダとの間におけるデータと電気エネルギーとを伝送する装置および方法。
【請求項１１】
鍵と錠のシリンダとの間におけるデータと電気エネルギーとを伝送する装置および方法において、第１の電磁回路を備える前記鍵を第２の電磁回路を備える前記シリンダ内に挿入する段階と、前記第１および第２の電磁回路が結合することによって形成される第３の電磁回路を作動させる段階と、前記第１の電磁回路に、前記第２の電磁回路と同じまたは異なる周波数帯域と前記第１および第２の電磁回路の巻線の巻数間の比に比例する振幅とを有する時間可変電圧を印加することによって前記鍵のコードを前記シリンダに伝送する段階と、前記鍵のコードを認識する段階と、前記電気エネルギーを前記錠のシャッタの起動のために磁束の形で送る段階とからなることを特徴とする鍵と錠のシリンダとの間におけるデータと電気エネルギーとを伝送する装置および方法。
【発明の詳細な説明】
【技術分野】
【０００１】
本発明は、鍵と錠のシリンダとの間においてデータと電気エネルギーとを伝達する装置および方法に関する。
【背景技術】
【０００２】
一般に回転部と固定部と機械式及び／又は電気機械式二重錠と前記錠を作動（開閉）させる鍵とを備える数多くの種類の錠が現在市場に存在することは周知である。
【０００３】
電気機械式錠においては、一般に電気接点が存在して、鍵から錠のシリンダおよびその逆の方向にデータと電気エネルギーとのいずれをも伝送する。
【０００４】
前記の定義から、電気機械式錠において電気接点を用いることによって数多くの問題が生じる理由が容易に理解される。
【０００５】
たとえば、錠が汚染された環境に取り付けられると、鍵または錠のいずれかに付着する粉塵、酸化物、液体、潤滑剤および同様の産物が存在することによって、これらの条件において発生しうる全ての問題を含めて、電気接点を介してエネルギーおよびデータを伝送することができなくなる。
【０００６】
したがって、電気機械式錠において常に適正な性能を得るためには、錠の電気接点を頻繁に清浄化しなければならない。
【０００７】
前記の定義は、電気接点の導電性を確保するためには頻繁かつ高費用のメンテナンス作業により電気接点を清浄に維持することに帰着する。
【０００８】
こうした状況は、たとえば多数の錠を有する大規模建造物の場合に、大きな問題を引き起こす。
【発明の開示】
【発明が解決しようとする課題】
【０００９】
本発明の目的は、周知の電気機械式錠における前記問題を解消することにある。
【００１０】
この目的に関連して、本発明の重要な目的は、鍵と錠のシリンダとの間においてオーミックコンタクトを必要とせずに電気エネルギーとデータとを伝送する装置および方法を創出することにある。
【００１１】
本発明のまた他の目的は、粉塵、酸化物、液体、潤滑剤および同様の産物が存在する場所でデータと電気エネルギーとを伝送する装置および方法を創出することにある。
【００１２】
本発明のさらに他の目的は、高い汚染レベルの環境においても錠の使用を可能にする装置および方法を創出することにある。
【００１３】
本発明のさらにまた他の目的は、錠の回路のメンテナンスが事実上不要であり、以って予定されるメンテナンスの費用の大幅な削減が達成される装置および方法を創出することにある。
【００１４】
本発明のまた他の目的は、鍵から錠のシリンダおよびその逆の方向に高レベルの電気的伝達を可能にする装置および方法を創出することにある。
【００１５】
本発明の最後ではあるが重要な目的は、低費用でほとんどメンテナンスを必要としない信頼性ある錠を提供することにある。
【課題を解決するための手段】
【００１６】
前記目的と前記およびその他の目的とは、鍵と錠のシリンダとの間におけるデータと電気エネルギーとを伝送する装置および方法において、前記鍵に関連ある第１の電磁回路と前記シリンダに関連ある第２の電磁回路とからなり、前記第１および第２の電磁回路は、前記シリンダ内への前記鍵の挿入時に相互接続を行なって前記第１の回路の一次巻線から前記第２の回路の二次［巻線］に少なくとも電気エネルギーを伝達する第３の電磁回路を形成する接続システムを備えることを特徴とする装置および方法によって達成される。
【００１７】
さらに、本発明のまた他の目的は、鍵と錠のシリンダとの間でデータと電気エネルギーとを伝送する方法において、第１の電磁回路を備える前記鍵を第２の電磁回路を備える前記シリンダ内に挿入する段階と、前記第１および第２の電磁回路が結合することによって得られる第３の電磁回路を作動させる段階と、前記第２の電磁回路と同じ周波数帯域と前記第１および第２の電磁回路の巻線の巻数間の比に比例する振幅とを有する時間可変電圧を前記第１の電磁回路に印加することにより前記鍵のコードを前記シリンダに伝送する段階と、前記鍵のコードを認識する段階と、電気エネルギーを前記錠のシャッタの起動のために磁束の形で送る段階とによって構成される方法である。
【発明を実施するための最良の形態】
【００１８】
特に前記図面を参照すると、鍵１と図示されない錠のシリンダ３との間におけるデータと電気エネルギーとを伝送する装置は、鍵１に関連ある第１の電磁回路Ａ１とシリンダ３に関連ある第２の電磁回路Ａ２とからなる。
【００１９】
第１および第２の電磁回路Ａ１およびＡ２は、シリンダ３のスロットＡ３内への鍵１の挿入時に相互接続を行なって、前記第１の回路の一次巻線Ａ６から前記第２の回路の二次巻線Ａ７にデータと電気エネルギーとを伝送する第３の電磁回路４が形成される接続手段を含む。
【００２０】
要するに、第１の電磁回路が第２の電磁回路と結合すると、このことにより、一次巻線Ａ６に加えられるエネルギーが二次巻線Ａ７に磁束の形で伝達される変圧器を形成し、前記磁束は、強磁性体材料の回路またはフェライトを用いて有利に形成される回路に適切に送られる。
【００２１】
有利なことに、フェライトを用いることによって、高周波を使用して、データ伝送に適し、高いエネルギー伝達性能を有する帯域の高周波を使用することが可能になる。
【００２２】
特に、前記第１および第２の電磁回路は、それぞれ結果的に互いに接続される第１および第２の棒Ａ４およびＡ５からなる。
【００２３】
図示されている例の場合は、第１および第２の棒は、さらにまた、結果的にコイルＡ６およびＡ７によって巻かれる。
【００２４】
このように、第３の電磁回路４は、第１および第２の磁気回路が相互結合して閉回路をなすことによって形成される。
【００２５】
図５および６には、本発明にしたがった回路装置の異なる実施例が示されている。
【００２６】
第１の電磁回路Ａ９のコイルＡ１１は、第２の電磁回路Ａ８と同じまたは異なる周波数帯域と、一次巻線Ａ１１と二次巻線Ａ１０との巻数間の比に比例する振幅とを有する時間可変電圧を受けて、鍵１からシリンダ３およびその逆の方向にデータを伝送することが可能になる。
【００２７】
要するに、鍵がシリンダへ差し込まれると、一次巻線Ａ１１を介して磁束が生じ、この磁束が、強磁性体回路に送られて、二次巻線Ａ１０を通過することによって起電力が誘導され、シリンダ内に配置される電子回路とアクチュエータとに供給される。
【００２８】
前記のように、データは、周波数変調、振幅変調、パルス幅変調、位相変調またはその他の方法等の古典的な電気伝達理論の方法のひとつを用いて伝送されて、以って鍵からシリンダおよびその逆の方向にデータを伝送することが可能になる。
【００２９】
データは、デジタルおよび／またはアナログ形式で伝送される。
【００３０】
最後に、巻線は、適切に絶縁される導電体配線を用いて製作されることを強調しておくべきである。
【００３１】
さらにまた、本発明のひとつの目的は、鍵と、図７〜９の略図に示されるような錠の標準的なシリンダとの間においてデータと電気エネルギーとを伝送する方法である。
【００３２】
特に、この方法は、第１の電磁回路Ａ１を備える鍵を第２の電磁回路Ａ２を備えるシリンダ内に挿入することからなる。
【００３３】
その後、第３の電磁回路４が、前記第１および第２の電磁回路が結合することにより作動せしめられる。
【００３４】
鍵のコードは、第２の回路と同じまたは異なる周波数帯域と第１および第２の電磁回路の巻線の巻数間の比に比例する振幅とを有する時間可変電圧を第１の電磁回路に印加することによってシリンダに伝送される。
【００３５】
この時点で、鍵のコードが認識され、必要な電気エネルギーが磁束の形で伝送され、錠のアクチュエータが作動する。
【００３６】
前記アクチュエータを作動させるだけでなく、第２の磁気回路コイルから得られるエネルギーは、電子鍵コードの復号化に関する電子回路の電源を供給しなければならない。
【００３７】
最後に、前記回路は、アクチュエータの回転後に、可能性として鍵が挿入された状態でもスイッチ切りされる。
【００３８】
有利な点として、鍵と錠のシリンダとの間においてデータと電気エネルギーとを伝送する前記装置および方法において、第１の磁気回路コイルに印加される信号は、第２の磁気回路巻線にエネルギーとデータとのいずれをも供給する。
【００３９】
実際に、本発明にしたがった装置は、主として電気接点を使用する電磁鍵の全ての欠点を解消するのに特に有利であることが実証された。
【００４０】
この概念にしたがった本発明は、本発明の着想の範囲内において数多くの改変および変更を加えられ得、さらにまた、全ての構成要素は、技術的に同等の要素により置き換えることができる。
【００４１】
実際に、使用される材料と要素の大きさは、必要性と当該分野の技術的現状とにしたがって変動することができる。
【図面の簡単な説明】
【００４２】
【図１】図１は、本発明にしたがった鍵の斜視図である。
【図２】図２は、本発明にしたがった鍵の縦断面図である。
【図３】図３は、本発明にしたがった錠の斜視図である。
【図４】図４は、本発明にしたがった第１および第２の電磁回路の平面図である。
【図５】図５は、本発明にしたがったシリンダと鍵との異なる実施例の斜視図である。
【図６】図６は、本発明にしたがった第１および第２の電磁回路の異なる実施例の平面図である。
【図７】図７は、本発明にしたがったある特定の機能応用例の線図である。
【図８】図８は、本発明にしたがったある特定の機能応用例の線図である。
【図９】図９は、本発明にしたがったある特定の機能応用例の線図である。
【図１】
2005514546.tif 000003
【図２】
2005514546.tif 000004
【図３】
2005514546.tif 000005
【図４】
2005514546.tif 000006
【図５】
2005514546.tif 000007
【図６】
2005514546.tif 000008
【図７】
2005514546.tif 000009
【図８】
2005514546.tif 000010
【図９】
2005514546.tif 000011
【手続補正書】
【提出日】平成15年10月23日(2003.10.23)
【手続補正１】
【補正対象書類名】特許請求の範囲
【補正対象項目名】全文
【補正方法】変更
【補正の内容】
【特許請求の範囲】
【請求項１】
鍵と錠のシリンダとの間におけるデータと電気エネルギーとを伝送する装置および方法であって、前記鍵に関連ある第１の電磁回路と、前記シリンダに関連ある第２の電磁回路とからなり、前記第１および第２の電磁回路は、前記シリンダへの前記鍵の挿入時に相互接続を行なって前記第１の回路の一次巻線から前記第２の回路の二次［巻線］に少なくとも電気エネルギーを伝送する第３の電磁回路を形成する接続手段を有する装置および方法において、前記電気エネルギーは、フェライトを用いて製作される強磁性体回路に適切に伝送される磁束の形で前記一次巻線から前記二次巻線に伝送されることを特徴とする鍵と錠のシリンダとの間におけるデータと電気エネルギーとを伝送する装置および方法。
【請求項２】
前記第３の電磁回路は、前記第１および第２の磁気回路が相互結合することによって形成されるとともに、長手方向に平行な第１および第２の棒と第１および第２の結合コイルとからなることを特徴とする前記請求項に記載の鍵と錠のシリンダとの間におけるデータと電気エネルギーとを伝送する装置および方法。
【請求項３】
前記第１の棒は、前記鍵の軸に沿って設けられるとともに、前記第１のコイルによって巻かれ、前記第２の棒は、前記シリンダのスロットに沿って設けられるとともに、前記第２のコイルによって巻かれ、前記第１および第２の棒は、互いに向かい合うとともに、自身の端部において互いに接続されることを特徴とする前記請求項に記載の鍵と錠のシリンダとの間におけるデータと電気エネルギーとを伝送する装置および方法。
【請求項４】
前記第１および第２の棒は、互いに向かい合うとともに前記シリンダのスロットに沿って離間して設けられ、前記鍵の軸により支持される前記第１のコイルと前記シリンダにより支持される前記第２のコイルとは、前記第１および第２の棒間において挟み込まれることを特徴とする請求項２に記載の鍵と錠のシリンダとの間におけるデータと電気エネルギーとを伝送する装置および方法。
【請求項５】
前記第１の磁気回路の前記コイルに印加される信号は、前記エネルギーと前記データとのいずれをも前記第２の磁気回路の前記巻線に伝送することを特徴とする前記請求項の１項以上に記載の鍵と錠のシリンダとの間におけるデータと電気エネルギーとを伝送する装置および方法。
【請求項６】
前記第１の電磁回路は、前記第２の電磁回路と同じまたは異なる周波数帯域と前記一次巻線と前記二次巻線との巻数間の比に比例する振幅とを有する時間可変電圧を受けて、前記データが前記鍵から前記シリンダおよびそのまた逆の方向に伝送されることを特徴とする前記請求項の１項以上に記載の鍵と錠のシリンダとの間におけるデータと電気エネルギーとを伝送する装置および方法。
【請求項７】
前記データは、デジタルおよび／またはアナログ形式で伝送されることを特徴とする前記請求項の１項以上に記載の鍵と錠のシリンダとの間におけるデータと電気エネルギーとを伝送する装置および方法。
【請求項８】
前記巻数は、適切に絶縁された導電体配線を用いて製作されることを特徴とする前記請求項の１項以上に記載の鍵と錠のシリンダとの間におけるデータと電気エネルギーとを伝送する装置および方法。
【請求項９】
前記鍵を前記シリンダ内に挿入する段階と、前記第３の電磁回路を作動させる段階と、前記第１の電磁回路に、前記第２の電磁回路と同じまたは異なる周波数帯域と前記第１および第２の電磁回路の巻線の巻数間の比に比例する振幅とを有する前記時間可変電圧を印加することによって前記鍵のコードを前記シリンダに伝送する段階と、前記鍵のコードを認識する段階と、前記電気エネルギーを前記錠のシャッタの起動のために磁束の形で送る段階とからなることを特徴とする前記請求項の１項以上に記載の鍵と錠のシリンダとの間におけるデータと電気エネルギーとを伝送する装置および方法。
【手続補正書】
【提出日】平成16年9月10日(2004.9.10)
【手続補正１】
【補正対象書類名】特許請求の範囲
【補正対象項目名】全文
【補正方法】変更
【補正の内容】
【特許請求の範囲】
【請求項１】
鍵と錠のシリンダとの間におけるデータと電気エネルギーとを伝送する装置および方法であって、前記鍵に関連ある第１の電磁回路と、前記シリンダに関連ある第２の電磁回路とからなり、前記第１および第２の電磁回路は、前記シリンダ内への前記鍵の挿入時に相互接続を行なって前記第１の回路の一次巻線から前記第２の回路の二次［巻線］に少なくとも電気エネルギーを伝送する第３の電磁回路を形成する接続手段を有し、前記接続手段は、前記鍵の軸および／または前記鍵用の前記シリンダのスロットに対して長手方向に平行に展開するとともに、前記鍵が前記スロット内に挿入されると、前記鍵および前記シリンダの機械的な暗号部分が長手方向に重なり合い、前記電気エネルギーは、フェライトを用いて製作される強磁性体回路に適切に伝送される磁束の形で前記一次巻線から前記二次巻線に伝送されることを特徴とする鍵と錠のシリンダとの間におけるデータと電気エネルギーとを伝送する装置および方法。
【請求項２】
前記第３の電磁回路は、前記第１および第２の磁気回路が相互結合することによって形成されるとともに、長手方向に平行な第１および第２の棒と第１および第２の結合コイルとからなることを特徴とする前記請求項に記載の鍵と錠のシリンダとの間におけるデータと電気エネルギーとを伝送する装置および方法。
【請求項３】
前記第１の棒は、前記鍵の軸に沿って設けられるとともに、前記第１のコイルによって巻かれ、前記第２の棒は、前記シリンダのスロットに沿って設けられるとともに、前記第２のコイルによって巻かれ、前記第１および第２の棒は、互いに向かい合うとともに、自身の端部において互いに接続されることを特徴とする前記請求項に記載の鍵と錠のシリンダとの間におけるデータと電気エネルギーとを伝送する装置および方法。
【請求項４】
前記第１および第２の棒は、互いに向かい合うとともに前記シリンダのスロットに沿って離間して設けられ、前記鍵の軸により支持される前記第１のコイルと前記シリンダにより支持される前記第２のコイルとは、前記第１および第２の棒間において挟み込まれることを特徴とする請求項２に記載の鍵と錠のシリンダとの間におけるデータと電気エネルギーとを伝送する装置および方法。
【請求項５】
前記第１の磁気回路の前記コイルに印加される信号は、前記エネルギーと前記データとのいずれをも前記第２の磁気回路の前記巻線に伝送することを特徴とする前記請求項の１項以上に記載の鍵と錠のシリンダとの間におけるデータと電気エネルギーとを伝送する装置および方法。
【請求項６】
前記第１の電磁回路は、前記第２の電磁回路と同じまたは異なる周波数帯域と前記一次巻線と前記二次巻線との巻数間の比に比例する振幅とを有する時間可変電圧を受けて、前記データが前記鍵から前記シリンダおよびそのまた逆の方向に伝送されることを特徴とする前記請求項の１項以上に記載の鍵と錠のシリンダとの間におけるデータと電気エネルギーとを伝送する装置および方法。
【請求項７】
前記データは、デジタルおよび／またはアナログ形式で伝送されることを特徴とする前記請求項の１項以上に記載の鍵と錠のシリンダとの間におけるデータと電気エネルギーとを伝送する装置および方法。
【請求項８】
前記巻数は、適切に絶縁された導電体配線を用いて製作されることを特徴とする前記請求項の１項以上に記載の鍵と錠のシリンダとの間におけるデータと電気エネルギーとを伝送する装置および方法。
【請求項９】
前記鍵を前記シリンダ内に挿入する段階と、前記第３の電磁回路を作動させる段階と、前記第１の電磁回路に、前記第２の電磁回路と同じまたは異なる周波数帯域と前記第１および第２の電磁回路の巻線の巻数間の比に比例する振幅とを有する前記時間可変電圧を印加することによって前記鍵のコードを前記シリンダに伝送する段階と、前記鍵のコードを認識する段階と、前記電気エネルギーを前記錠のシャッタの起動のために磁束の形で送る段階とからなることを特徴とする前記請求項の１項以上に記載の鍵と錠のシリンダとの間におけるデータと電気エネルギーとを伝送する装置および方法。
【国際調査報告】
2005514546.tif 000012
2005514546.tif 000013